(57)【要約】【課題】上下水道設備において操作インターロックを誰が何時設定したかを管理し、誤った点検・修理中の機器操作禁止の解除を抑制する。【解決手段】本発明の上下水道監視制御システムは、上下水道設備Ｗの機器に対する操作員による監視端末装置６１ａへの監視操作を制御する上下水道監視制御システムＳであって、監視操作の開始時に操作員によって監視端末装置６１ａに入力される認証情報を基に当該操作員の認証を行い、認証可の場合に操作員の監視操作を開始させる認証手段６１ａと、監視操作で指定された機器１１、１２、１３の保守作業中が選択された際に当該機器の操作を停止させる操作インターロック手段６３と、保守作業中を選択した操作員の情報、当該操作員が入力した操作内容の情報を含む掲示板情報３１を表示装置６１ｂで表示する掲示板情報表示手段６１ａとを備える。【選択図】図１
2012093900.tif 000002
【特許請求の範囲】
【請求項１】
上下水道設備の機器に対する操作員による監視端末装置への監視操作を制御する上下水道監視制御システムであって、
前記監視操作の開始時に操作員によって前記監視端末装置に入力される認証情報を基に当該操作員の認証を行い、認証可の場合に操作員の監視操作を開始させる認証手段と、
前記監視操作で指定された機器の保守作業中が選択された際に当該機器の操作を停止させる操作インターロック手段と、
前記保守作業中を選択した操作員の情報、当該操作員が入力した操作内容の情報を含む掲示板情報を表示装置で表示する掲示板情報表示手段とを
備えることを特徴とする上下水道監視制御システム。
【請求項２】
前記掲示板情報表示手段は、前記保守作業中を選択しない操作員が入力した伝言情報、当該操作員の情報を含む掲示板情報を前記表示装置で表示する
ことを特徴とする請求項１に記載の上下水道監視制御システム。
【請求項３】
前記掲示板情報は、前記掲示板情報が発生した日時の情報を含む
ことを特徴とする請求項１または請求項２に記載の上下水道監視制御システム。
【請求項４】
請求項１から請求項３の何れか一項に記載の上下水道監視制御システムにおいて、
前記掲示板情報を前記操作員の前記監視端末装置への入力操作によって変更できる掲示板情報変更手段を
備えることを特徴とする上下水道監視制御システム。
【請求項５】
請求項４に記載の上下水道監視制御システムにおいて、
前記変更した日時および操作員の情報を前記掲示板情報に登録する掲示板情報登録手段を
備えることを特徴とする上下水道監視制御システム。
【請求項６】
請求項１から請求項５の何れか一項に記載の上下水道監視制御システムにおいて、
前記操作員の前記監視端末装置への第１の解除操作入力にて、前記掲示板情報を削除する情報削除手段を
備えることを特徴とする上下水道監視制御システム。
【請求項７】
請求項１から請求項５の何れか一項に記載の上下水道監視制御システムにおいて、
前記機器の操作を停止させた前記認証情報と同一の認証情報を用いてのログオンした場合に、前記監視端末装置への第２の解除操作入力にて、前記操作が停止された機器の操作停止を解除する操作停止解除手段を
備えることを特徴とする上下水道監視制御システム。
【請求項８】
請求項１から請求項７の何れか一項に記載の上下水道監視制御システムにおいて、
前記掲示板情報を掲示板情報記憶部に記録する操作履歴記録手段を
備えることを特徴とする上下水道監視制御システム。
【請求項９】
請求項１から請求項８の何れか一項に記載の上下水道監視制御システムにおいて、
前記掲示板情報の履歴を表示装置に表示する操作内容表示手段を
備えることを特徴とする上下水道監視制御システム。
【請求項１０】
上下水道設備の機器に対する操作員による監視端末装置への監視操作を制御する上下水道監視制御システムの制御方法であって、
前記上下水道監視制御システムは、認証手段と、操作インターロック手段と、掲示板情報表示手段とを備え、
前記認証手段は、前記監視操作の開始時に操作員によって前記監視端末装置に入力される認証情報を基に当該操作員の認証を行い、認証可の場合に操作員の監視操作を開始させ、
前記操作インターロック手段は、前記監視操作で指定された機器の保守作業中が選択された際に当該機器の操作を停止させ、
前記掲示板情報表示手段は、前記保守作業中を選択した操作員の情報、当該操作員が入力した操作内容の情報を含む掲示板情報を表示装置で表示する
ことを特徴とする上下水道監視制御システムの制御方法。
【請求項１１】
前記掲示板情報表示手段は、前記保守作業中を選択しない操作員が入力した伝言情報、当該操作員の情報を含む掲示板情報を前記表示装置で表示する
ことを特徴とする請求項１０に記載の上下水道監視制御システムの制御方法。
【請求項１２】
前記掲示板情報は、前記掲示板情報が発生した日時の情報を含む
ことを特徴とする請求項１０または請求項１１に記載の上下水道監視制御システムの制御方法。
【請求項１３】
請求項１０から請求項１２の何れか一項に記載の上下水道監視制御システムの制御方法において、
前記上下水道監視制御システムは、掲示板情報変更手段を備え、
前記掲示板情報変更手段は、前記掲示板情報を前記操作員の前記監視端末装置への入力操作によって変更する
ことを特徴とする上下水道監視制御システムの制御方法。
【請求項１４】
請求項１３に記載の上下水道監視制御システムの制御方法において、
前記上下水道監視制御システムは、掲示板情報登録手段を備え、
前記掲示板情報登録手段は、前記変更した日時および操作員の情報を前記掲示板情報に登録する
ことを特徴とする上下水道監視制御システムの制御方法。
【請求項１５】
請求項１０から請求項１４の何れか一項に記載の上下水道監視制御システムの制御方法において、
前記上下水道監視制御システムは、情報削除手段を備え、
前記情報削除手段は、前記操作員の前記監視端末装置への第１の解除操作入力にて、前記掲示板情報を削除する
ことを特徴とする上下水道監視制御システムの制御方法。
【請求項１６】
請求項１０から請求項１４の何れか一項に記載の上下水道監視制御システムの制御方法において、
前記上下水道監視制御システムは、操作停止解除手段を備え、
前記操作停止解除手段は、前記機器の操作を停止させた前記認証情報と同一の認証情報を用いてのログオンした場合に、前記監視端末装置への第２の解除操作入力にて、前記操作が停止された機器の操作停止を解除する
ことを特徴とする上下水道監視制御システムの制御方法。
【請求項１７】
請求項１０から請求項１６の何れか一項に記載の上下水道監視制御システムの制御方法において、
前記上下水道監視制御システムは、操作履歴記録手段を備え、
前記操作履歴記録手段は、前記掲示板情報を掲示板情報記憶部に記録する
ことを特徴とする上下水道監視制御システムの制御方法。
【請求項１８】
請求項１０から請求項１７の何れか一項に記載の上下水道監視制御システムの制御方法において、
前記上下水道監視制御システムは、操作内容表示手段を備え、
前記操作内容表示手段は、前記掲示板情報の履歴を表示装置に表示する
ことを特徴とする上下水道監視制御システムの制御方法。
【請求項１９】
請求項１０から請求項１８の何れか一項に記載の上下水道監視制御システムの制御方法を、コンピュータに実行させるための上下水道監視制御システムのプログラム。
【発明の詳細な説明】
【技術分野】
【０００１】
本発明は、上下水道監視制御における運用操作員の認証と操作内容の掲示に係る上下水道監視制御システムおよびその制御方法、そのプログラムに関する。
【背景技術】
【０００２】
従来、上下水道を監視する制御システムは、広大な敷地に設置してあるポンプや弁などの機器や、流量計、上下水の濁度を測る濁度計などの計測機器の情報を収集して集中監視している。
近年、コンピュータの性能が上がり、小型化された工業用パーソナルコンピュータ（FAPC:Factory Personal Computer）にて、監視制御装置が構築されるようになり、従来の監視操作盤よりきめ細かな情報が表示されている。
る。
【先行技術文献】
【特許文献】
【０００３】
【特許文献１】特開２００５−２８４３４９号公報
【特許文献２】特開２００７−２９９２２８号公報
【発明の概要】
【発明が解決しようとする課題】
【０００４】
ところで、従来、監視操作盤のような大きな盤があったことから、点検・修理といった内容を監視操作盤の操作スイッチに付箋紙やマグネットシートによる伝言通達と操作禁止カバーによる操作禁止を明示できていた。
しかし、従来の監視操作盤のような大きな盤が必要なくなったことから、監視制御装置になった場合、大きさが小さいため付箋紙を貼付ける場所がない。また、従来の監視制御装置の表示装置の掲示板機能に掲示しても対象機器との関連性が分からない。また、表示画面に表示される対象機器を示す操作タグに操作禁止インターロックが点検・修理のため表示されていても、誰が何時設定したのか分からない状況が発生している。
【０００５】
この改善策として、掲示板機能に札掛けした(操作を禁止した)旨の記載を別途記載して対応したり、画面への付箋紙機能を設けて従来の監視操作盤と近似な機能を新たに作成して対応している。
【０００６】
特許文献１の監視制御装置は、非接触ＩＤタグを用いて行われる操作インターロックであり、非接触ＩＤタグを各機器単位に対して予め登録して操作禁止などのセキュリティを行っている。
しかし、特許文献１では、非接触ＩＤタグをもつ管理者は特定の１名となるため、点検・修理といった突発的な対応をプラント運用者の各人が受け付け、作業禁止範囲の設備に対する点検・修理といった突発事に柔軟に対応するのは困難である。さらに、作業を受け付けた人から、設定内容の変更など追記・変更することは不可能である。
【０００７】
特許文献２の監視制御システム、監視制御装置及びその現場操作端末、同システムの監視方法は、無線タグを用いた認証手段で交代員への通達機能があることで、伝言を交代員に伝えることが可能となる内容である。
特許文献１、２では、作業受付者と異なる交代者がインターロックを解除したり、別人が作業受付者になりすまし状態となる可能性があり、実質的な操作インターロックとなり得ない。また、引継ぎ交代者が複数名となるため、単純に交代者１対１では運用上問題である。
その他、現在引き継ぎ事項書などメモ書きによって運用されており、伝言漏れや設備養生漏れが発生する可能性がある。
【０００８】
本発明は上記実状に鑑み、上下水道設備において操作インターロックを誰が何時設定したのかを管理するととともに、誤った点検・修理中の機器操作禁止の解除を抑制し得る上下水道監視制御システムおよびその制御方法、そのプログラムの提供を目的とする。
【課題を解決するための手段】
【０００９】
上記目的を達成すべく、第１の本発明に関わる上下水道監視制御システムは、上下水道設備の機器に対する操作員による監視端末装置への監視操作を制御する上下水道監視制御システムであって、前記監視操作の開始時に操作員によって前記監視端末装置に入力される認証情報を基に当該操作員の認証を行い、認証可の場合に操作員の監視操作を開始させる認証手段と、前記監視操作で指定された機器の保守作業中が選択された際に当該機器の操作を停止させる操作インターロック手段と、前記保守作業中を選択した操作員の情報、当該操作員が入力した操作内容の情報を含む掲示板情報を表示装置で表示する掲示板情報表示手段とを備えている。
【００１０】
第２の本発明に関わる上下水道監視制御システムの制御方法は、上下水道設備の機器に対する操作員による監視端末装置への監視操作を制御する上下水道監視制御システムの制御方法であって、前記上下水道監視制御システムは、認証手段と、操作インターロック手段と、掲示板情報表示手段とを備え、前記認証手段は、前記監視操作の開始時に操作員によって前記監視端末装置に入力される認証情報を基に当該操作員の認証を行い、認証可の場合に操作員の監視操作を開始させ、前記操作インターロック手段は、前記監視操作で指定された機器の保守作業中が選択された際に当該機器の操作を停止させ、前記掲示板情報表示手段は、前記保守作業中を選択した操作員の情報、当該操作員が入力した操作内容の情報を含む掲示板情報を表示装置で表示している。
【００１１】
第３の本発明に関わる上下水道監視制御システムのプログラムは、第２の本発明の上下水道監視制御システムの制御方法を、コンピュータに実行させるためのプログラムである。
【発明の効果】
【００１２】
本発明によれば、上下水道設備において操作インターロックを誰が何時設定したのかを管理するととともに、誤った点検・修理中の機器操作禁止の解除を抑制できる。
【図面の簡単な説明】
【００１３】
【図１】本発明の実施形態の上下水道監視制御システムの構成図である。
【図２】実施形態の上下水道監視制御システムの監視制御装置の表示装置に表示される監視画面の例を示す図である。
【図３】実施形態の監視制御装置にて実際に機器操作を行う機器操作タグを表示した監視操作画面の例を示す図である。
【図４】実施形態の掲示板詳細表示画面を示す図である。
【図５】実施形態の掲示板履歴の表示例の履歴表示・登録画面を示す図である。
【図６】実施形態の掲示板一覧・記載内容画面の例を示す図である。
【図７】実施形態の掲示板一覧・詳細画面を示す図である。
【図８】実施形態の掲示板履歴画面を示す図である。
【図９】(ａ)は実施形態のタグ管理データベースを示す図であり、(ｂ)は掲示板データベースを示す図であり、(ｃ)は掲示板の内容例を示す図であり、(ｄ)は紐付けデータベースを示す図である。
【図１０】実施形態の修理・点検登録または伝言登録をする場合の処理フロー図である。
【図１１】実施形態の修理・点検削除をする場合の処理フロー図である。
【図１２】実施形態の機器操作タグからのインターロック中の操作の処理フローである。
【発明を実施するための形態】
【００１４】
以下、本発明の実施形態について添付図面を参照して説明する。
図１は本発明の実施形態の上下水道監視制御システムＳの構成例を示す図である。
実施形態の上下水道監視制御システムＳは、プラントの一つである上下水道設備Ｗを監視制御対象とする。
【００１５】
上下水道設備Ｗは、例えば、浄水場から水が送られるポンプ井(排水池設備)１１と、ポンプ井１１の水を汲み出すポンプ１２(１２ａ〜１２ｃ)と、ポンプ１２からの水を需要側に吐き出す吐出弁１３(１３ａ〜１３ｃ)とを具備している。ポンプ１２、吐出弁１３は、それぞれモータ６５ａ、６５ｂ(６５)で稼動される。
その他、上下水道設備Ｗは、ポンプ１２、吐出弁１３などの機器の機械的保護やその位置を確認するための機械スイッチ６６(６６ａ、６６ｂ)と、ポンプ１２、吐出弁１３、機械スイッチ６６などを現場で操作するための現場操作盤６４とを具備している。
【００１６】
上下水道監視制御システムＳには、上下水道設備Ｗを制御するためのコントロールセンタ６３が設けられており、該コントロールセンタ６３は、上下水道設備Ｗの現場機器であるポンプ１２、吐出弁１３の機器を稼動させる動力装置のモータ６５(６５ａ、６５ｂ)などを操作制御したり、保護している。
コントロールセンタ６３は、ポンプ１２のモータ６５ａ、吐出弁１３のモータ６５ｂなどの制御回路とのインターフェースであるインターフェースユニット６３ａと、コントローラ盤６２とを備えている。コントロールセンタ６３のインターフェースユニット６３ａは、動力ケーブル６９を介して、モータ６５ａ、６５ｂと接続されている。
【００１７】
コントローラ盤６２は、インターフェースユニット６３ａが接続されるとともに機械スイッチ６６(６６ａ、６６ｂ)などの制御回路との入出力を行うコントローラ入出力装置６２ｂと、コントローラ入出力装置６２ｂの入出力情報に基づいてモータ６５、機械スイッチ６６などの制御、保護などを行うコントローラ本体６２ａとを内蔵している。なお、コントローラ盤６２のコントローラ入出力装置６２ｂには、多芯ケーブル６８を介して、機械スイッチ６６が接続されている。
また、コントロールセンタ６３は、専用通信ケーブル６７を介して、上下水道監視制御システムＳの制御を担う監視制御装置６１に接続されている。
【００１８】
監視制御装置６１は、コントローラ本体６２ａと通信にてデータ収集する工業用パソコンなどのコンピュータ６１ａと、上下水道設備Ｗの状態などを表示する表示装置６１ｂと、日報、各種情報などを印刷して出力するプリンタ(印刷装置)６１ｃとを有し構成されている。
コンピュータ６１ａのメモリには、上下水道監視制御システムＳを稼動させる制御プログラム、上下水道監視制御システムＳで使用される各画面の画面オブジェクトが格納される画面フォルダが格納されている。
【００１９】
さらに、コンピュータ６１ａのメモリには、プラント運用操作員(以下、運用操作員と称す)を識別する操作員識別情報に応じて上下水道監視制御システムＳへのアクセス権限が保存される操作員情報データベース(図示せず)、後に詳述する掲示板の情報が記憶される掲示板データベース４２０(図９参照)、タグ管理データベース４１０、紐付けデータベース４３０、掲示板内容ファイル４４１、４４２、４４３、……などが格納されている。なお、操作員情報データベースには、上下水道監視制御システムＳへのアクセスを許可する操作員識別情報、その運用操作員の氏名、所属、アクセス権限などの情報が記憶されている。
【００２０】
上下水道監視制御システムＳの機能は、ＣＰＵ(Central Processing Unit)がメモリの制御プログラムを実行することで実現される。制御プログラムは適宜、操作員情報データベース、掲示板データベース４２０、タグ管理データベース４１０、紐付けデータベース４３０、掲示板内容ファイル４４１、４４２、４４３、……にアクセスしたり、画面フォルダの画面オブジェクトを用いて、上下水道監視制御システムＳの機能を具現化する。
一方、コントロールセンタ６３のコントローラ入出力装置６２ｂには、運用操作員が、現場で上下水道設備Ｗの機器に対する操作を行うための現場操作盤６４が、多芯ケーブル６８を介して、接続されている。
【００２１】
現場操作盤６４は、監視制御装置６１の故障や機器の点検作業で操作場所を切替える操作場所切替スイッチ６４ａと、上下水道設備Ｗの機器の操作を行う際に操作する機器操作スイッチ６４ｂと、機器の状態の確認を行うために点滅される機器状態表示ランプ６４ｃとを備えている。
現場操作盤６４は、上下水道設備Ｗに広く点在しており、全体の把握が難しいため、中央監視室にて監視制御装置６１を用いて集中監視を実施している。
【００２２】
ところで、上下水道設備Ｗは社会インフラとして重要な位置づけであり、２４時間運用のために交代制で運用しており、運用操作員は交代する運用操作員に、上下水道設備Ｗの状態を引継ぎ事項として伝達している。しかし、突発的な修理・点検といった業務が発生した場合、従来、その時受けたプラント運用者(運用操作員)が現場操作盤６４に操作禁止札を掲げるなどして対応をしていた。
しかし、修理・点検事項の伝達漏れと現場操作盤６４での操作インターロック漏れ等の重複ミスにより、修理・点検中の機器を動かす可能性がある。
【００２３】
そこで、本上下水道監視制御システムＳでは、遠方から集中管理する監視制御装置６１に掲示板を組み合わせた修理・点検履歴を記憶し、また、現場操作盤６４の操作にインターロックを行うことにより、監視制御装置６１のインターロックの発生要因を、交代運用者(交代する運用操作員)に明確にしている。
【００２４】
次に、運用操作員が上下水道設備Ｗを監視制御するための監視制御装置６１の表示装置６１ｂに表示される画面について説明する。
なお、以下説明する画面は、上下水道設備Ｗの各種情報が収集されるコントローラ本体６２ａに接続されるコンピュータ６１ａのメモリに格納される画面フォルダの画面オブジェクトを用いて、表示装置６１ｂに表示される。
【００２５】
＜監視画面Ｇ１＞
次に、上下水道監視制御システムＳの初期画面の図２に示す監視画面Ｇ１について説明する。
監視画面Ｇ１は、上部に画面切替用タグエリア１が配置され、画面切替用タグエリア１は、操作画面Ｇ２(図３参照)に切り替える際にクリックされる監視画面切替タグ１ａと、掲示板一覧・記載内容画面Ｇ５(図６参照)に切り替える際にクリックされる掲示板切替タグ１ｂとを有している。
【００２６】
監視画面Ｇ１の中央部には、上下水道設備Ｗのプラント状態等をグラフィックに表示する主画面２が配置されている。
主画面２には、上下水道設備Ｗのポンプ井(配水池設備)１１、ポンプ１２ａ〜１２ｃ、吐出弁１３ａ〜１３ｃおよびそれらの機器を接続するための配管１４などがグラフィックに表示される。
主画面２に表示されるポンプ１２ａ〜１２ｃおよび吐出弁１３ａ〜１３ｃは、機器の動作状態により色を変えたり、グラフィック表現を変えて、機器の状態を運用操作員にグラフィカルに知らせている。
【００２７】
＜監視操作画面Ｇ２＞
次に、上下水道設備Ｗの機器の監視制御を行うための図３の監視操作画面Ｇ２について説明する。
図２の監視画面Ｇ１において、ポンプ１２ａのシンボルをマウスなどで選択すると、図３の監視操作画面Ｇ２が表示される。
【００２８】
監視操作画面Ｇ２には、図１の監視制御装置６１にて実際に上下水道設備Ｗの機器の操作を行う機器操作タグ２１が表示される。
監視操作画面Ｇ２は、上部に配置される監視画面切替タグ１ａ、掲示板切替タグ１ｂなどの画面切替用タグエリア１と、中央部に配置される上下水道設備Ｗのプラント状態等を表示する主画面２と、側部に配置される上下水道設備Ｗの機器の操作に係わる表示がなされる機器操作タグ２１とを具えている。
【００２９】
機器操作タグ２１は、図２の監視画面Ｇ１で選択したシンボルの機器(図３ではポンプ１２ａ)の名称(図３の“Ｎｏ．１ポンプ”)が表示される機器名称表示エリア２２、当該機器(図３ではポンプ１２ａ)の操作場所に該当する操作場所の名称が「現場」／「中央」で点灯される機器操作場所表示２３ａ、２３ｂ、当該機器の運転モードが「手動」／「自動」で表示される機器運転モード２４ａ、２４ｂ、当該機器の修理中や点検など運転できない状態のインターロックに際して「インターロック中」の点灯がなされる操作インターロック状態表示２５、および、当該機器の運転を操作する際に押下され、押下された側の運転状態(「停止」／「運転」)が点灯される機器状態・操作スイッチ「停止」２６ａ、「運転」２６ｂを有している。
【００３０】
その他、監視操作画面Ｇ２の下部には、機器操作タグ２１に関する「インターロック中」を解除する際に押下されるインターロック解除スイッチ２７ａ、機器の修理に際して押下される修理中切替スイッチ２７ｂ、機器の点検に際して押下される点検中切替スイッチ２７ｃ、選択したシンボルの詳細を表示する際に押下される詳細表示スイッチ２８、および、監視操作画面Ｇ２を閉じる際に押下される機器操作タグ終了スイッチ２９が表示される。
【００３１】
監視操作画面Ｇ２において、修理中切替スイッチ２７ｂまたは点検中切替スイッチ２７ｃを選択すると、操作情報がコンピュ−タ６１ａに入力され、コントロールセンタ６３を介して、ポンプ１２ａに対して機器操作のインターロック(操作停止)が働く。そして、機器操作タグ２１の「インターロック中」の操作インターロック状態表示２５が点灯し、機器状態・操作スイッチ「停止」２６ａ、「運転」２６ｂの機器操作機能が無効化される。
【００３２】
一方、監視操作画面Ｇ２の下部のインターロック解除スイッチ２７ａを選択することで、操作情報がコンピュ−タ６１ａに入力され、機器操作タグ２１の「インターロック中」の操作インターロック状態表示２５が消灯し、機器状態・操作スイッチ「停止」２６ａ、「運転」２６ｂの機器操作機能が有効に切り替わる。
【００３３】
＜掲示板詳細表示画面Ｇ３＞
次に、上下水道設備Ｗの機器の監視制御の状態を表示する掲示板の詳細が表示される図４の掲示板詳細表示画面Ｇ３について説明する。
図３の監視操作画面Ｇ２で、修理中切替スイッチ２７ｂ、または、点検中切替スイッチ２７ｃ、または、詳細表示スイッチ２８を選択すると、図４に示す掲示板詳細３１を有する掲示板詳細表示画面Ｇ３が表示される。
【００３４】
本上下水道監視制御システムＳでは、図３の修理中切替スイッチ２７ｂまたは点検中切替スイッチ２７ｃを押下することで、図４に示す掲示板詳細３１の掲示板一貫番号３２の情報を、掲示板データベース４２０(図９(ｂ)参照)の掲示板識別情報４２１を参照して空いている番号、例えば、連番や、機器・修理内容・点検内容毎に分類したコードなどを掲示板詳細識別情報として自動取得して、掲示板詳細３１の情報への紐付け(関連付け)を実施している。
【００３５】
これにより、図３の監視操作画面Ｇ２で詳細表示スイッチ２８を押下して選択することで、修理・点検内容の詳細を記載した掲示板詳細３１(図４参照)の情報とリンクすることができる。
また、図３の監視操作画面Ｇ２でインターロック解除スイッチ２７ａが押下されることで、図４の掲示板詳細３１の登録者３４ｂと同一作業者であれば操作のインターロックを解除するとともに、インターロックが解除された該当する掲示板詳細３１を掲示板詳細表示画面Ｇ３から削除する。なお、登録者３４ｂと同一作業者であるか否かは、制御プログラムによって、コンピュータ６１ａにログオンする際に入力される認証情報で照合を行うことで判断される。
【００３６】
図３の監視操作画面Ｇ２の機器操作タグ終了スイッチ２９は、押下されることで機器操作タグ２１の入力操作を終了して監視画面Ｇ１(図２参照)に戻す機能をもつ。
図４の掲示板詳細表示画面Ｇ３における掲示板詳細３１は、掲示板詳細３１の情報を識別する掲示板一貫番号３２、各掲示板詳細３１の情報のタイトル３３、その登録日時３４ａ、その登録者３４ｂ、該掲示板詳細３１の情報を最終(最後)に変更した日時である最終変更日時３５ａ、その最終変更者３５ｂ、最終変更者３５ｂがコンピュータ６１ａで入力した掲示板記載内容３６を含んで構成される。
【００３７】
図４の掲示板詳細３１の掲示板一貫番号３２は、掲示板データベース４２０(図９(ｂ)参照)の各レコード(掲示板詳細３１の情報)を識別する掲示板識別情報４２１であり、図３の機器操作タグ２１で修理中切替スイッチ２７ｂまたは点検中切替スイッチ２７ｃを押下操作したタイミングで、掲示板データベース４２０の掲示板識別情報４２１を参照して、未使用の掲示板識別情報４２１を自動的に採番する。
【００３８】
図４の掲示板詳細３１のタイトル３３は、機器名称表示エリア２２に表示されるポンプ１２ａの「機器名称」(図４中の「Ｎｏ．１ポンプ」)と、機器操作タグ２１で修理中切替スイッチ２７ｂを選択した場合には「修理」、または、点検中切替スイッチ２７ｃを選択した場合には「点検」とを組合せたタイトルを、制御プログラムが自動生成する。なお、タイトル３３は自動生成することなく、登録者が入力するように構成してもよいが、固有のタイトルの選択、タイトルの系統性、入力ミスなどを考慮すると自動生成が望ましい。
【００３９】
図４の掲示板詳細３１の登録日時３４ａ、登録者３４ｂは、図３の監視操作画面Ｇ２で修理中切替スイッチ２７ｂまたは点検中切替スイッチ２７ｃを操作して、図４の掲示板詳細３１を表示し、掲示板内容登録スイッチ３７ｂを選択したタイミングの監視制御装置６１の内部時計日時(タイマ取得日時)を自動登録するとともに、コンピュータ６１ａにログオン時に入力した運用操作員の操作員ＩＤ(認証情報)より、操作員情報データベースに記憶され紐付けされた操作員名を自動登録する。
【００４０】
図４の掲示板詳細３１の最終変更日時３５ａ、最終変更者３５ｂは、図３の監視操作画面Ｇ２で詳細表示スイッチ２８を押下し選択して掲示板詳細３１(図４参照)を表示し、図４の掲示板内容登録スイッチ３７ｂを押下し選択したタイミングの監視制御装置６１の内部時計日時(タイマ取得日時)を自動登録するとともに、ログオン時に入力された運用操作員の操作員ＩＤ(認証情報)より、操作員情報データベースに記憶され紐付けされた操作員名を自動登録する。
【００４１】
図４の掲示板詳細３１の掲示板記載内容３６は、最終変更者３５ｂの操作によって変更されない場合には登録者３４ｂの運用操作員または最終変更者３５ｂの操作によって変更される場合には最終変更者３５ｂの運用操作員が、修理・点検期間やその間の代替運転手段などの修理・点検に係わる事項を記載するエリアである。
また、図４の掲示板詳細表示画面Ｇ３の下部には、表示された掲示板詳細３１に関連する下記のスイッチ（３７ａ、３７ｂ、３８、３９）が表示される。
【００４２】
すなわち、図４の機器操作タグ２１に表示される機器の操作インターロックを解除、または、掲示板詳細３１の項目を削除する際に押下される掲示板削除スイッチ３７ａ、掲示板詳細３１の項目に入力した内容を登録する際に押下される掲示板内容登録スイッチ３７ｂ、表示された掲示板詳細３１の履歴を表示する際に押下される掲示板履歴表示スイッチ３８、掲示板詳細表示画面Ｇ３を終了する際に押下される掲示板詳細終了スイッチ３９が表示される。
【００４３】
掲示板削除スイッチ３７ａは、機器操作タグ２１に紐付けられ、かつ、登録者３４ｂと同一の運用操作員であれば、機器操作タグ２１に表示される機器の操作インターロックを解除する機能としても動作するが、登録者３４ｂと違う運用操作員の場合には操作インターロックの解除を動作させない。なお、機器操作タグ２１に紐付けられていない(関連付けられていない)通常の掲示板による伝言のみの場合には、当該掲示板詳細３１の項目を削除する通常機能として動作する。
【００４４】
なお、登録者３４ｂと同一の運用操作員でなければ、操作インターロックに係る掲示板詳細３１の情報は削除できないように構成してもよい。
掲示板詳細終了スイッチ３９は、押下された場合、掲示板詳細３１の表示を終了して図３の監視操作画面Ｇ２の機器操作タグ２１の表示に戻る機能をもつ。
【００４５】
＜履歴表示・登録画面Ｇ４＞
次に、掲示板詳細３１の登録、履歴の表示が行われる図５に示す履歴表示・登録画面Ｇ４について説明する。
図４の掲示板詳細表示画面Ｇ３において、掲示板履歴表示スイッチ３８を選択すると、図５の掲示板履歴５１を有する履歴表示・登録画面Ｇ４が表示される。
【００４６】
掲示板履歴５１は、掲示板詳細３１の識別情報の掲示板一貫番号３２、掲示板詳細３１の情報のタイトル３３、履歴一貫番号５２、登録日時３４ａや変更日時４２ａ、登録者３４ｂや変更者４２ｂの項目を含んで構成される。また、掲示板履歴５１は、掲示板履歴５１の表示を終了する掲示板履歴終了スイッチ５３を有している。
掲示板履歴５１では、図４の掲示板詳細表示画面Ｇ３の下部の掲示板詳細３１のための掲示板削除スイッチ３７ａ、掲示板内容登録スイッチ３７ｂ、掲示板履歴表示スイッチ３８、掲示板詳細終了スイッチ３９が非表示となる。
【００４７】
図５の掲示板履歴５１の掲示板一貫番号３２、掲示板詳細３１のタイトル３３は、図４の掲示板詳細３１と同じ内容で表示される。
掲示板履歴５１の履歴一貫番号５２、登録日時３４ａや登録者３４ｂは、初回登録時には履歴一貫番号５２にＲｅｖの“０”が表示される。その後、図５に示すように、同一の掲示板一貫番号３２に履歴が加わる度に、Ｒｅｖの数に１が加算される。
【００４８】
掲示板履歴５１の登録日時３４ａ、登録者３４ｂは、図４の掲示板詳細３１の掲示板内容登録スイッチ３７ｂを選択したタイミングで、制御プログラムにより、監視制御装置６１の内部時計日時(タイマ取得日時)が自動登録されるとともに、運用操作員がログオン時に入力した操作員ＩＤ(認証情報)より紐付けされた操作員名が、操作員情報データベースから自動取得され、自動登録(表示)される。この際、掲示板データベース４２０(図９(ｂ)参照)に登録日時(登録日時４２４)と、登録者の操作員ＩＤ(登録者４２５)が登録される。
【００４９】
掲示板履歴５１の変更日時４２ａや、変更者４２ｂは、履歴一貫番号５２のＲｅｖの“１”以降に、図４の掲示板詳細３１の掲示板内容登録スイッチ３７ｂを押下し選択したタイミングにて、制御プログラムにより、監視制御装置６１の内部時計日時(タイマ取得日時)が自動登録されるとともに、運用操作員がログオン時に入力した操作員ＩＤ(認証情報)より紐付けされた操作員名が、操作員情報データベースから取得され、順次自動登録(表示)される。この際、掲示板データベース４２０(図９(ｂ)参照)に登録日時(登録日時４２４)、登録者の操作員ＩＤ(登録者４２５)が登録される。
【００５０】
掲示板履歴５１の表示は、掲示板詳細３１の任意の情報に関し、誰が何時追記入力したのかのトレース機能として流用できるほか、追加機能として、図４の掲示板詳細３１の掲示板記載内容３６を別途管理することで記載内容の差分抽出機能を付加し、どのタイミングで修理・点検業務期間の変更や運転方針が変わったのかを記録しておくことができる。
図５の掲示板履歴５１の掲示板履歴終了スイッチ５３は、押下されることで掲示板履歴５１の表示を終了して図４の掲示板詳細３１の表示に戻る機能をもつ。
【００５１】
＜掲示板一覧・記載内容画面Ｇ５＞
次に、掲示板詳細３１の一覧が表示される掲示板一覧４１と掲示板記載内容３６とが表示される図６に示す掲示板一覧・記載内容画面Ｇ５について説明する。
図２の監視画面Ｇ１にて掲示板切替タグ１ｂを選択することで、掲示板一覧４１が表示される掲示板一覧・記載内容画面Ｇ５(図６参照)が表示される。
掲示板一覧・記載内容画面Ｇ５の掲示板一覧４１は、掲示板詳細３１の情報を識別する掲示板一貫番号３２、掲示板詳細３１の各情報のタイトル３３、登録日時３４ａ、登録者３４ｂ、最終変更日時３５ａ、最終変更者３５ｂ、および、下部の掲示板記載内容３６が項目として表示される。
【００５２】
また、掲示板一覧４１は、掲示板一覧４１を一頁前にスクロールする一頁前スクロールスイッチ４３ａ、掲示板一覧４１を一頁後にスクロールする一頁後スクロールスイッチ４３ｂ、および、掲示板一覧４１をスクロールするスクロールバー４４を含み構成される。
掲示板一覧４１の下方には、詳細表示スイッチ４９が表示される。
掲示板一覧・記載内容画面Ｇ５では、全掲示板の内容把握をするための機能として、各掲示板詳細３１の内容を、運用操作員が所望の掲示板一覧番号３２を選択することで、制御プログラムが掲示板データベース４２０(図９(ｂ)参照)、掲示板内容ファイル４４１、４４２、４４３、……(図９(ｃ)参照)から掲示板詳細３１の情報を取得して、掲示板記載内容３６を表示する。
【００５３】
掲示板一覧４１の掲示板一貫番号３２は、掲示板データベース４２０(図９(ｂ)参照)の管理番号の掲示板識別情報４２１であり、ユニーク管理された例えば、一貫番号の識別情報である。掲示板一貫番号３２が一貫番号の場合、最大数はコンピュータ６１ａの記憶容量によってシステム構築時に予め上限値を決定している有限数である。
【００５４】
掲示板一覧４１の掲示板詳細３１の各情報のタイトル３３は、前記したように、図３の機器操作タグ２１から修理中切替スイッチ２７ｂ、点検中切替スイッチ２７ｃを押下することで、制御プログラムが初期値として固定タイトルをタイトル３３(図４〜図６参照)に自動登録する。その他、運用操作員が、伝言を登録するため、未記載タイトルを選択して任意の文字で入力して詳細表示スイッチ４９を押した場合に、制御プログラムが掲示板データベース４２０に登録する。
【００５５】
図６の掲示板一覧４１の登録日時３４ａ、登録者３４ｂは、図４の未記入の掲示板詳細３１に最初に入力し、掲示板内容登録スイッチ３７ｂを選択し押下したタイミングで、制御プログラムにより、監視制御装置６１の内部時計日時(タイマ取得日時)を自動登録するとともに、運用操作員がログオン時に入力した操作員ＩＤより紐付けされ操作員情報データベースに登録された操作員名が自動登録(自動表示)される。
【００５６】
掲示板一覧４１の最終変更日時３５ａ、最終変更者３５ｂは、図４の記載済の掲示板詳細３１に追記・変更した後、掲示板内容登録スイッチ３７ｂを選択したタイミングで、制御プログラムにより、直近(一番最近)に操作した日時を監視制御装置６１の内部時計日時から自動登録するとともに、直近(一番最近)に操作した運用操作員がログオン時に入力した操作員ＩＤより紐付けされ操作員情報データベースに登録された操作員名を自動登録する。これらの情報は、掲示板データベース４２０に保存される掲示板履歴よりリンクして表示する。
【００５７】
これにより、図６の掲示板一覧・記載内容画面Ｇ５の掲示板内容の最新の変更や古い登録内容の伝言を、運用操作員が一目で分かり、更に、各登録日時と変更日時を色変えしておくことで、より判別を良くした表示方法も可能となる。
さらに、有効期限など掲示板詳細３１の情報が何時まで有効なのかを表示することで、注意喚起や一定期間のみの伝言などを自動的に更新消去することも可能である。
【００５８】
＜掲示板一覧・詳細画面Ｇ６＞
次に、掲示板一覧４１と掲示板詳細３１とが表示される図７に示す掲示板一覧・詳細画面Ｇ６について説明する。
図６の詳細表示スイッチ４９を押下し選択した際に、図７の掲示板一覧・詳細画面Ｇ６が表示される。
【００５９】
掲示板一覧・詳細画面Ｇ６の下に配置される掲示板詳細３１は、掲示板一貫番号３２、掲示板の各情報のタイトル３３、その登録日時３４ａ、その登録者３４ｂ、当該掲示板の情報を最終的に変更した最終変更日時３５ａ、その最終変更者３５ｂ、最終的に変更された掲示板記載内容３６を含み構成される。
掲示板一貫番号３２は、掲示板データベース４２０の管理番号(掲示板詳細識別情報)の掲示板識別情報４２１(図９(ｂ)参照)で、図３の機器操作タグ２１で、下に配置される修理中切替スイッチ２７ｂまたは点検中切替スイッチ２７ｃを操作したタイミングで、制御プログラムが、掲示板データベース４２０の管理番号(掲示板識別情報４２１)を参照して、未使用の管理番号を自動的に採番する。
【００６０】
掲示板の各掲示板詳細３１の情報のタイトル３３は、図３、図４の機器名称表示エリア２２に表示されるポンプ１２ａの「機器名称」(図３、図４では、“Ｎｏ．１ポンプ”)と、図３の機器操作タグ２１で修理中切替スイッチ２７ｂを選択した場合には「修理」、点検中切替スイッチ２７ｃを選択した場合には「点検」とを組合せたタイトルを自動生成する。
図７の登録日時３４ａ、登録者３４ｂは、図２の機器操作タグ２１で修理中切替スイッチ２７ｂまたは点検中切替スイッチ２７ｃを操作して掲示板詳細３１を表示し、掲示板内容登録スイッチ３７ｂを選択したタイミングの監視制御装置６１の内部時計日時(タイマ取得日時)と、運用操作員の操作員ＩＤより紐付けされ操作員情報データベースに記憶された操作員名とを自動登録する。
【００６１】
最終変更日時３５ａ、最終変更者３５ｂは、それぞれ図３の機器操作タグ２１で詳細表示スイッチ２８を選択して掲示板詳細３１を表示し、図７の掲示板内容登録スイッチ３７ｂを選択したタイミングの監視制御装置６１の内部時計日時(タイマ取得日時)を自動登録するとともに、運用操作員の操作員ＩＤより紐付けされ操作員情報データベースに記憶された操作員名を自動登録する。
【００６２】
掲示板記載内容３６は修理・点検期間やその間の代替運転手段などを、運用操作員が入力(記載)するエリアである。
掲示板詳細３１の下方には、掲示板詳細３１に関連する掲示板削除スイッチ３７ａ、掲示板内容登録スイッチ３７ｂ、掲示板履歴表示スイッチ３８、詳細表示スイッチ２８、および、掲示板詳細終了スイッチ３９ａが表示される。
【００６３】
掲示板削除スイッチ３７ａは、図３の機器操作タグ２１に紐付けられ、かつ、登録者３４ｂと同一の操作員ＩＤをもつ運用操作員であれば当該機器の操作のインターロックを解除する機能として動作するが、操作する運用操作員が登録者３４ｂと違う場合には動作させない。なお、機器操作タグ２１に紐付けられていない通常の掲示板による伝言のみの場合には、当該掲示板詳細３１の項目を削除する通常の機能として動作する。
【００６４】
掲示板内容登録スイッチ３７ｂは、掲示板詳細３１の項目に入力した内容を登録する際に押下される。掲示板履歴表示スイッチ３８は、表示された掲示板詳細３１の履歴を表示する際に押下される。詳細表示スイッチ２８は、掲示板一覧４１の各掲示板一貫番号３２の情報を表示する際に押下される。
掲示板詳細終了スイッチ３９ａは、押下された際に掲示板詳細３１を終了して図３の機器操作タグ２１の表示に戻る機能をもつ。
【００６５】
＜掲示板履歴画面Ｇ７＞
次に、掲示板の履歴情報を表示する図８に示す掲示板履歴画面Ｇ７について説明する。
図７の掲示板一覧・詳細画面Ｇ６の掲示板履歴表示スイッチ３８を押下し選択すると、図８の掲示板履歴５１を有する掲示板履歴画面Ｇ７が表示される。
掲示板履歴５１は、掲示板一貫番号３２、各掲示板詳細３１の情報のタイトル３３、履歴一貫番号５２、登録日時３４ａや変更日時４２ａ、登録者３４ｂや変更者４２ｂを項目として含んで構成される。そして、掲示板履歴５１には、掲示板履歴５１を終了する際に押下される掲示板履歴終了スイッチ５３が設けられている。
【００６６】
なお、図８の掲示板履歴画面Ｇ７では、図７の掲示板詳細３１用の掲示板削除スイッチ３７ａ、掲示板内容登録スイッチ３７ｂ、掲示板履歴表示スイッチ３８、詳細表示スイッチ２８、掲示板詳細終了スイッチ３９ａは非表示になる。
図８の掲示板履歴５１の掲示板一貫番号３２、タイトル３３は、図７の掲示板詳細３１と同じ内容で表示される。
【００６７】
掲示板履歴５１の履歴一貫番号５２は、初回登録時には履歴一貫番号５２のＲｅｖに“０”が表示される。
掲示板履歴５１の登録日時３４ａ、登録者３４ｂは、それぞれ図７の掲示板詳細３１の掲示板内容登録スイッチ３７ｂを押下し選択したタイミングで、監視制御装置６１の内部時計日時(タイマ取得日時)が自動登録されるとともに、運用操作員の操作員ＩＤより紐付けされ操作員情報データベースに登録された運用操作員名が自動登録される。
【００６８】
変更日時４２ａ、変更者４２ｂは、それぞれ、履歴一貫番号５２のＲｅｖ“１”以降に図７の掲示板詳細３１の掲示板内容登録スイッチ３７ｂを押下し選択したタイミングにて、監視制御装置６１の内部時計日時(タイマ取得日時)が順次自動登録されるとともに、運用操作員の操作員ＩＤより紐付けされ操作員情報データベースに登録された操作員名が順次自動登録される。
【００６９】
この掲示板履歴５１は誰が何時追記入力したのかのトレース機能として流用できる他、追加機能として図７の掲示板詳細３１の掲示板記載内容３６を別途管理しデータの差分抽出機能を付加することで、どのタイミングで修理・点検業務期間の変更や運転方針が変わったのかを記録しておくことができる。
図８の掲示板履歴終了スイッチ５３は、押下されることにより掲示板履歴５１の表示を終了して図４の掲示板詳細３１を表示する掲示板詳細表示画面Ｇ３に戻る機能をもつ。
【００７０】
＜タグ管理・掲示板・紐付けデータベース４１０、４２０、４３０＞
次に、上下水道監視制御システムＳの制御(処理)に用いる図９に示す各管理データベースおよびファイルについて詳細に説明する。
図９は上下水道監視制御システムＳに用いる各管理テータベースおよびファイルの例であり、(ａ)はタグ管理データベース４１０であり、(ｂ)は掲示板データベース４２０であり、(ｃ)は掲示板の内容例のファイルであり、(ｄ)は紐付けデータベース４３０である。
【００７１】
図９(ａ)のタグ管理データベース４１０は、画面上で機器を表す機器操作タグ２１の名称とこれに対応する当該機器のインターロック(操作禁止)の有無を管理するデータベースである。
タグ管理データベース４１０は、機器操作タグ２１を識別して一括管理するためのタグ管理識別情報４１１、図３の機器名称表示エリア２２に表示される機器表示名称を保存するタグ名称４１２、図３の操作インターロック状態表示２５を保存するインターロック区分４１３を含み構成される。インターロック区分４１３は、インターロック中の修理中は“１”、インターロック中の点検中は“２”、インターロックでない場合は“０”で示す。
【００７２】
図９(ｂ)の掲示板データベース４２０は、画面に表示される掲示板の内容、すなわち図４の掲示板詳細３１、およびその一覧の図７の掲示板一覧表示４１などの情報を記憶するデータベースである。
掲示板データベース４２０は、図７の掲示板一覧表示４１を一括管理し各掲示板詳細３１の情報を識別するための掲示板識別情報４２１、図７の各掲示板詳細３１のタイトル３３を保存する掲示板名称４２２、掲示板履歴番号４２３、登録(変更)日時４２４、登録(変更)者４２５を含み構成される。
【００７３】
図５〜図７に示す掲示板記載内容３６は、図９(ｃ)に示す掲示板内容ファイル４４１、４４２、４４３、……に保存される。
掲示板内容ファイル４４１、４４２、４４３……に、図３の機器操作タグ２１と図７の掲示板一覧４１の掲示板詳細３１を紐付けるために、図９(ｄ)に示す紐付けデータベース４３０は、機器操作タグ２１を識別するタグ管理識別情報４１１と各掲示板詳細３１を識別する掲示板識別情報４２１とをデータ項目にもつ。
【００７４】
掲示板識別情報４２１と掲示板内容ファイル４４１、４４２、４４３、……とは、ファイル名称(例えば、図９(ｄ)に示す「0001-R00．掲示板」)でユニークに管理される。
こうして、掲示板データベース４２０に掲示板履歴番号４２３を追加することで、掲示板一覧４１の同一掲示板詳細３１での掲示板記載内容３６の内容変更(掲示板内容ファイル４４１、４４２、４４３、……)といった履歴管理が可能となる。
【００７５】
＜修理・点検登録または伝言登録をする場合の処理＞
運用操作員が、図３の監視操作画面Ｇ２において行う上下水道設備Ｗの機器に関して修理・点検登録(機器のインターロックの登録)または伝言登録する処理について説明する。
図１０は修理・点検登録または伝言登録をする場合の処理フロー図である。
【００７６】
運用操作員は、コンピュータ６１ａに自身の認証情報を入力してログオンすると、制御プログラムによって操作員情報データベースに格納されるアクセス権限のある操作員識別情報と合致するかの認証が行われ、合致する場合には表示装置６１ｂに図２の監視画面Ｇ１が表示される。一方、合致しない場合、ログオン不可となる。
そして、運用操作員が、監視画面Ｇ１において画面切替用タグエリア１のプラント監視画面切替タグ１ａまたは掲示板切替タグ１ｂを選択することで表示内容を選択する(図１０のＳ１０１)。すると、Ｓ１０２で、監視画面切替タグ１ａを選択したか、または、掲示板切替タグ１ｂを選択したかの判定が行われる。
【００７７】
プラント監視画面切替タグ１ａを選択したと判定された場合(Ｓ１０２でＹes)、図３の監視操作画面Ｇ２が表示装置６１ｂに表示される(Ｓ１０３)。
運用操作員が、監視操作画面Ｇ２でポンプ１２ａ〜１２ｃや吐出弁１３ａ〜１３ｃなどのシンボルをマウスなどで選択する(Ｓ１０４)と、図３の監視操作画面Ｇ２において機器操作タグ２１の表示が行われる(Ｓ１０５)。なお、図３の監視操作画面Ｇ２は、機器操作タグ２１を表示した場合を示している。
【００７８】
Ｓ１０６で、運用操作員が、監視操作画面Ｇ２の機器操作タグ２１にて修理中切替スイッチ２７ｂまたは点検中切替スイッチ２７ｃを押下し選択すると、Ｓ１０７で、修理中切替スイッチ２７ｂまたは点検中切替スイッチ２７ｃを選択したか否か判定される。
修理中切替スイッチ２７ｂまたは点検中切替スイッチ２７ｃの何れも選択されないと判定された場合(Ｓ１０７でＮｏ)、終了する。
【００７９】
Ｓ１０７で、修理中切替スイッチ２７ｂまたは点検中切替スイッチ２７ｃを選択したと判定された場合(Ｓ１０７でＹes)、図４に示す掲示板詳細３１が表示される(Ｓ１０８)。その後、Ｓ１０９に移行する。
【００８０】
一方、Ｓ１０２で、図２の監視画面Ｇ１の画面切替用タグエリア１にて掲示板切替タグ１ｂを選択したと判定された場合(Ｓ１０２でＮｏ)、すなわち、運用操作員が伝言登録をする場合、図６の掲示板一覧４１を有する掲示板一覧・記載内容画面Ｇ５が表示される(Ｓ１１３)。掲示板一覧・記載内容画面Ｇ５において、運用操作員が、詳細表示スイッチ４９を押下し選択する(Ｓ１１４)と、図７の掲示板詳細３１を有する掲示板一覧・詳細画面Ｇ６が表示される(Ｓ１０８)。
【００８１】
Ｓ１０９において、運用操作員は、図４または図７の掲示板詳細３１の掲示板記載内容３６のスペースに操作内容、伝言などを記載(入力)し、掲示板内容登録スイッチ３７ｂを押下する。
Ｓ１１０において、掲示板内容登録スイッチ３７ｂが入力されたか否かの判定が行われる。
掲示板内容登録スイッチ３７ｂが入力されないと判定された場合（Ｓ１１０でＮｏ）、終了する。
【００８２】
一方、掲示板内容登録スイッチ３７ｂが入力されたと判定された場合（Ｓ１１０でＹes）、当該対象機器がインターロック中であるか否か(運用操作員の修理・点検登録または運用操作員の伝言登録か否か)判定される（Ｓ１１１）。すなわち、図９(ｄ)の紐付けテーブル４３０に該当機器の操作タグ２１に相当するタグ管理識別情報４１１が登録されているか判定される。
【００８３】
インターロック中であると判定された場合（Ｓ１１１でＹｅｓ）（修理・点検登録の場合）、すなわち該当のタグ管理識別情報４１１が存在しない場合(修理・点検登録の場合)には、図９(ｄ)の紐付けデータベース４３０に該当するタグ管理識別情報４１１を追加するとともに、紐付けられる図９(ｂ)の掲示板データベース４２０の掲示板名称４２２が未記載の項目（未使用掲示板）の掲示板名称４２２を決定する。そして、該当する掲示板識別情報４２１を創成し、掲示板識別情報４２１を掲示板データベース４２０、紐付けデータベース４３０に追加し、掲示板記載内容３６の伝言を掲示板内容ファイル４４１、４４２、４４３、……に追加する（Ｓ１１２）。
【００８４】
Ｓ１１１で、インターロック中でないと判定された場合（Ｓ１１１でＮｏ）(伝言登録の場合)、すなわち該当するタグ管理識別情報４１１(図９(ｄ)参照)が存在する場合には、該当する掲示板識別情報４２１（掲示板管理番号３２(図４、図７参照)）の最終変更日時３５ａと最終変更者３５ｂとを掲示板データベース４２０の登録(変更)日時４２４、登録(変更)者４２５に更新し、掲示板記載内容３６の伝言を掲示板内容ファイル４４１、４４２、４４３、……に追加し（Ｓ１１５）、終了する。
以上が、図１０に示す運用操作員が修理・点検登録または伝言登録をする場合の処理である。
【００８５】
＜修理・点検削除の処理＞
次に、運用操作員が、図３の監視操作画面Ｇ２において行う上下水道設備Ｗの機器に関して修理・点検(機器のインターロック中)を終わらせる修理・削除の処理について説明する。
図１１は修理・点検削除をする場合の処理フロー図である。
【００８６】
運用操作員は、コンピュータ６１ａに自身の認証情報を入力してログオンすると、制御プログラムによって操作員情報データベースに格納されるアクセス権限のある操作員識別情報と合致するかの認証が行われ、合致する場合には表示装置６１ｂに図２の監視画面Ｇ１が表示される。一方、合致しない場合、ログオン不可となる。
【００８７】
そして、運用操作員が、監視画面Ｇ１において画面切替用タグエリア１のプラント監視画面切替タグ１ａまたは掲示板切替タグ１ｂを選択することで表示内容を選択する(図１１のＳ２０１)。すると、Ｓ２０２で、監視画面切替タグ１ａを選択したか、または、掲示板切替タグ１ｂを選択したかの判定が行われる。
プラント監視画面切替タグ１ａを選択したと判定された場合(Ｓ２０２でＹes)、図３の監視操作画面Ｇ２が表示装置６１ｂに表示される(Ｓ２０３)。
【００８８】
運用操作員が、監視操作画面Ｇ２でポンプ１２ａ〜１２ｃや吐出弁１３ａ〜１３ｃなどのシンボルをマウスなどで選択する(Ｓ２０４)と、図３の監視操作画面Ｇ２において機器操作タグ２１の表示が行われる(Ｓ２０５)。
運用操作員は、監視操作画面Ｇ２の機器操作タグ２１にて修理中切替スイッチ２７ｂまたは点検中切替スイッチ２７ｃを押下し選択する(Ｓ２０６)と、Ｓ２０７で、修理中切替スイッチ２７ｂまたは点検中切替スイッチ２７ｃを選択したか否か判定する。
【００８９】
修理中切替スイッチ２７ｂまたは点検中切替スイッチ２７ｃの何れも選択されない場合(Ｓ２０７でＮｏ)、終了する。
Ｓ２０７で、修理中切替スイッチ２７ｂまたは点検中切替スイッチ２７ｃを選択した場合(Ｓ２０７でＹes)、図４の掲示板詳細表示画面Ｇ３の掲示板詳細３１が表示される(Ｓ２０８)ので、掲示板内容削除スイッチ３７ａを選択する。その後、Ｓ２０９に移行する。
【００９０】
一方、Ｓ２０２で、図２の監視画面Ｇ１の画面切替用タグエリア１にて掲示板切替タグ１ｂを選択したと判定された場合(Ｓ２０２でＮｏ)、図６の掲示板一覧４１を有する掲示板一覧・記載内容画面Ｇ５が表示される(Ｓ２１３)。掲示板一覧・記載内容画面Ｇ５において、運用操作員が、詳細表示スイッチ４９を押下し選択する(Ｓ２１４)と、図７の掲示板詳細３１を有する掲示板一覧・詳細画面Ｇ６が表示される(Ｓ２０８)ので、掲示板内容削除スイッチ３７ａを選択する。
【００９１】
続いて、Ｓ２０９において、図４または図７の掲示板詳細３１にて掲示板内容削除スイッチ３７ａを選択したか否か判定される。
掲示板内容削除スイッチ３７ａを選択しないと判定された場合(Ｓ２０９でＮｏ)、終了する。
【００９２】
一方、掲示板内容削除スイッチ３７ａを選択したと判定された場合(Ｓ２０９でＹes)、作業者が該当掲示板の登録者と同一人物か否か、ログオン時に入力した認証情報が、図９(ｂ)の掲示板データベース４２０の登録者４２５の操作員識別情報と一致するか否かで判定される(Ｓ２１０)。
同一人物でないと判定された場合(Ｓ２１０でＮｏ)、終了する。
【００９３】
同一人物であると判定された場合(Ｓ２１０でＹｅｓ)、当該対象機器がインターロック中であるか否か判定される。つまり、図９(ｄ)の紐付けデータベース４３０に該当する機器操作タグ２１に相当するタグ管理識別情報４１１が登録されているか否か判断する。(Ｓ２１１)。
図３に示す機器操作タグ２１と紐付けされていないと判定された場合(Ｓ２１１でＮｏ)、つまり、該当するタグ管理識別情報４１１が存在しない場合、インターロックが解除されていると判断して終了する。
【００９４】
一方、Ｓ２１１で、機器操作タグ２１と紐付けされていると判定された場合(Ｓ２１１でＮｏ)、つまり、該当するタグ管理識別情報４１１が存在する場合、図９（ｄ）の紐付けデータベース４３０の該当タグ管理識別情報４１１を削除するとともに、紐付けられている掲示板データベース４２０の該当する掲示板識別情報４２１を初期化し、図９(ｃ)の該当する掲示板内容ファイル４４１、４４２、４４３……を消去する(Ｓ２１２)。そして、インターロックがかかった機器操作タグ２１の機器のインターロックを解除する。
【００９５】
なお、Ｓ２１２では、掲示板データベース４２０の該当する掲示板識別情報４２１を初期化し、図９(ｃ)の該当する掲示板内容ファイル４４１、４４２、４４３……を消去する場合を例示したが、初期化、消去などを行わず、履歴として保存してもよい。
【００９６】
＜インターロック中の操作の処理＞
次に、運用操作員が行うインターロック中の機器の操作の処理について説明する。
図１２は、機器操作タグ２１からのインターロック中の操作の処理フローである。
運用操作員は、コンピュータ６１ａに自身の認証情報を入力してログオンすると、制御プログラムによって操作員情報データベースに格納されるアクセス権限のある操作員識別情報と合致するかの認証が行われ、合致する場合には表示装置６１ｂに図２の監視画面Ｇ１が表示される。一方、合致しない場合、ログオン不可となる。
【００９７】
そして、運用操作員が、監視画面Ｇ１において画面切替用タグエリア１のプラント監視画面切替タグ１ａまたは掲示板切替タグ１ｂを選択することで表示内容を選択する(図１２のＳ３０１)。すると、Ｓ３０２で、監視画面切替タグ１ａを選択したか、または、掲示板切替タグ１ｂを選択したかの判定が行われる。
掲示板切替タグ１ｂを選択したと判定された場合(Ｓ３０２でＮｏ)、終了する。
【００９８】
一方、プラント監視画面切替タグ１ａを選択したと判定された場合(Ｓ３０２でＹes)、図３の監視操作画面Ｇ２が表示装置６１ｂに表示される(Ｓ３０３)。
運用操作員が、監視操作画面Ｇ２でポンプ１２ａ〜１２ｃや吐出弁１３ａ〜１３ｃなどのシンボルをマウスなどで選択する(Ｓ３０４)と、図３の監視操作画面Ｇ２において機器操作タグ２１の表示が行われる(Ｓ３０５)。
運用操作員は、図３の監視操作画面Ｇ２の機器操作タグ２１にて、機器状態・操作スイッチ[停止]、「運転」２６ａ、２６ｂの何れかを押下し選択する(Ｓ３０６)。
【００９９】
Ｓ３０７で、機器状態・操作スイッチ[停止]、「運転」２６ａ、２６ｂの何れかを選択したか否か判定される。
機器状態・操作スイッチ[停止]、「運転」２６ａ、２６ｂの何れも選択しないと判定された場合(Ｓ３０７でＮｏ)、終了する。
【０１００】
一方、機器状態・操作スイッチ[停止]、「運転」２６ａ、２６ｂの何れかを選択したと判定された場合(Ｓ３０７でＹes)、点検・修理等でインターロック中であるか否か判定を行う(Ｓ３０８)。つまり、図９(ｄ)の紐付けデータベース４３０に該当する機器操作タグ２１に相当するタグ管理識別情報４１１が登録されているか否か判断する。
【０１０１】
インターロック中でないと判定された場合(Ｓ３０８でＮｏ)、つまり、図９(ｄ)の紐付けデータベース４３０に該当する機器操作タグ２１に相当するタグ管理識別情報４１１が登録されていない場合には、該当する機器状態・操作スイッチ[停止]、「運転」２６ａ、２６ｂの何れかに合致した機器操作指令を、図１のコントロールセンタ６３から該当機器に出力させ(Ｓ３０９)、終了する。
【０１０２】
一方、インターロック中であると判定された場合(Ｓ３０８でＹes)、つまり、図９(ｄ)の紐付けデータベース４３０に該当する機器操作タグ２１に相当するタグ管理識別情報４１１が登録されている場合には、終了する。
【０１０３】
上記構成によれば、基本運用動作である初回受付者(機器にインターロック操作した運用操作員)による認証を行うとともに、監視制御装置６１の運用操作員であるプラント運用者全員が一元管理された掲示板機能を利用することで、新たな装置を用いることなく既存設備を有効活用したまま操作インターロック機能を強化することができる。
【０１０４】
すなわち、従来の監視操作盤と同様な伝言通達と操作禁止札(機器の操作禁止の札)の役割を、誰が何時設定したのかを管理するとともに、機器操作禁止の解除を登録した運用操作員でしか解除できなくすることにより、誤って点検・修理の札掛け解除(機器操作禁止の解除)を第三者が解除しないようにする。
更に、札掛け操作内容の変更履歴や解除履歴を記録することで、誰が何時変更や解除したのか管理することで、長期修理など予定変更理由などの履歴管理が可能となる。
【０１０５】
したがって、操作員ＩＤ(操作員識別情報)を機器操作タグ２１と掲示板の掲示板詳細３１の情報に紐付けすることにより、機器操作タグの札掛(機器操作禁止の操作)の実施行為と、札掛け操作内容を掲示板の掲示板詳細３１の情報に反映する行為が一致し、誰が何時どのような設定したのか特定することが容易にできる。
【０１０６】
なお、前記実施形態では、タグ管理データベース４１０、掲示板データベース４２０、紐付けデータベース４３０は、リレーショナルデータベース、オブジェクトデータベースなどのデータベースの記憶部で構成した場合を例示したが、テーブルで構成してもよく、記憶部であれば限定されないのは勿論である。また、掲示板内容ファイル４４１、４４２、４４３、……は、テーブルで構成してもよいし、データベースで構成してもよく限定されない。
【０１０７】
また、タグ管理データベース４１０、掲示板データベース４２０、紐付けデータベース４３０、掲示板内容ファイル４４１、４４２、４４３、……は、それぞれ適宜組み合わせて構成してもよいし、或いは、さらに適宜分割して構成してもよい。つまり、タグ管理データベース４１０、掲示板データベース４２０、紐付けデータベース４３０、掲示板内容ファイル４４１、４４２、４４３、……は、所定のデータを記憶すれば、その実現態様は例示した態様に限定さない。
【０１０８】
なお、前記実施形態では、監視制御装置６１をスタンドアローンの形式で構成した場合を例示したが、監視制御装置６１を構内ＬＡＮ(Local Area Network)、専用回線などで接続し、複数の監視制御装置６１で構成してもよい。
【符号の説明】
【０１０９】
１１    ポンプ井（機器）
１２、１２ａ〜１２ｃ  ポンプ（機器）
１３、１３ａ〜１３ｃ  吐出弁（機器）
２７ａ  インターロック解除スイッチ（操作停止解除手段、情報削除手段）
２７ｂ  修理中切替スイッチ（保守作業中）
２７ｃ  点検中切替スイッチ（保守作業中）
３１    掲示板詳細（掲示板情報）
３２    掲示板一貫番号（掲示板情報）
３３    タイトル（掲示板情報）
３４ａ  登録日時（掲示板情報）
３４ｂ  登録者（掲示板情報）
３５ａ  最終変更日時（掲示板情報）
３５ｂ  最終変更者（掲示板情報）
３６    掲示板記載内容（操作内容の情報、掲示板情報）
３７ａ  掲示板削除スイッチ（掲示板情報変更手段）
３７ｂ  掲示板内容登録スイッチ（掲示板情報変更手段）
３８    掲示板履歴表示スイッチ（操作内容表示手段）
４１    掲示板一覧（掲示板情報）
４２ａ  変更日時（掲示板情報）
４２ｂ  変更者（掲示板情報）
５１    掲示板履歴（操作内容の情報）
６１    監視制御装置（監視端末装置、認証手段、操作インターロック手段、掲示板情報表示手段、掲示板情報変更手段、操作停止解除手段、情報削除手段、操作履歴記録手段、操作内容表示手段）
６１ａ  コンピュ−タ（監視端末装置、認証手段、操作インターロック手段、掲示板情報表示手段、掲示板情報変更手段、操作停止解除手段、情報削除手段、履歴記録手段、操作内容表示手段）
６１ｂ  表示装置
６２    コントローラ盤（操作インターロック手段、操作停止解除手段）
６２ａ  コントローラ本体（操作インターロック手段、操作停止解除手段）
６３    コントロールセンタ（操作インターロック手段、操作停止解除手段）
４２０  掲示板データベース(掲示板情報記憶部)
４３０  紐付けデータベース(掲示板情報表示手段)
４４１、４４２、４４３  掲示板内容ファイル(掲示板情報記憶部)
Ｓ      上下水道監視制御システム
Ｗ      上下水道設備
【図１】
2012093900.tif 000003
【図２】
2012093900.tif 000004
【図３】
2012093900.tif 000005
【図４】
2012093900.tif 000006
【図５】
2012093900.tif 000007
【図６】
2012093900.tif 000008
【図７】
2012093900.tif 000009
【図８】
2012093900.tif 000010
【図９】
2012093900.tif 000011
【図１０】
2012093900.tif 000012
【図１１】
2012093900.tif 000013
【図１２】
2012093900.tif 000014